(57)【要約】【課題】  液体吐出カートリッジを装置本体に取り付ける前後で液体吐出カートリッジから外したキャップのハンドリングについて廃棄の手間や、手の汚れから使用者の利便性や安全性に課題があった。【解決手段】  本発明の液体吐出装置は、液体を吐出するための液体吐出部を有する液体吐出カートリッジ本体を内部に収容する装置本体と、前記装置本体に対して着脱可能な装置本体用キャップと、を有する。前記装置本体用キャップを前記装置本体から取り外す際に、前記液体吐出部の吐出口を保護するように前記液体吐出カートリッジ本体に取り付けられた吐出部用キャップが前記装置本体用キャップと一体化して前記液体吐出部から取り外される。【選択図】  図１
2010110509.tif 000002
【特許請求の範囲】
【請求項１】
液体を吐出するための液体吐出部を有する液体吐出カートリッジ本体を内部に収容する装置本体と、前記装置本体に対して着脱可能な装置本体用キャップと、を有する液体吐出装置であって、
前記装置本体用キャップと、前記液体吐出部の吐出口を保護するように前記液体吐出カートリッジ本体に取り付けられた吐出部用キャップとが連結可能な連結手段を有し、
前記連結手段により、前記装置本体用キャップを前記装置本体から取り外す際に、前記吐出部用キャップが前記液体吐出部から取り外されることを特徴とする液体吐出装置。
【請求項２】
前記連結手段の、前記装置本体用キャップと前記吐出部用キャップとが連結された状態と連結されていない状態とを切り替える切替手段を有することを特徴とする請求項１に記載の液体吐出装置。
【請求項３】
前記吐出部用キャップを前記液体吐出カートリッジ本体に固定するための固定手段を有することを特徴とする請求項１又は２に記載の液体吐出装置。
【請求項４】
前記固定手段の、前記吐出部用キャップと前記液体吐出カートリッジ本体との固定を解除する制御部を有することを特徴とする請求項３に記載の液体吐出装置。
【請求項５】
液体を吐出するための液体吐出部と前記液体吐出部の吐出口を保護するように設けられた吐出部用キャップとを有する液体吐出カートリッジであって、
前記吐出部用キャップは、前記液体吐出カートリッジを内部に収容する液体吐出装置の装置本体に設けられた装置本体用キャップと連結可能な連結手段を有し、
前記連結手段により、前記装置本体用キャップを前記装置本体から取り外す際に、前記吐出部用キャップが前記液体吐出部から取り外されることを特徴とする液体吐出カートリッジ。
【請求項６】
前記連結手段の、前記装置本体用キャップと前記吐出部用キャップとが連結された状態と連結されていない状態とを切り替える切替手段を有することを特徴とする請求項５に記載の液体吐出カートリッジ。
【請求項７】
前記吐出部用キャップを前記液体吐出カートリッジに固定するための固定手段を有することを特徴とする請求項５又は６に記載の液体吐出カートリッジ。
【請求項８】
液体を吐出するための液体吐出部を有する液体吐出カートリッジ本体を内部に収容する液体吐出装置の装置本体に対して着脱可能な装置本体用キャップであって、
前記装置本体用キャップは、前記液体吐出部の吐出口を保護するように前記液体吐出カートリッジ本体に設けられた吐出部用キャップと連結可能な連結手段を有し、
前記連結手段により、前記装置本体用キャップを前記装置本体から取り外す際に、前記吐出部用キャップが前記液体吐出部から取り外されることを特徴とする装置本体用キャップ。
【請求項９】
前記連結手段の、前記装置本体用キャップと前記吐出部用キャップとが連結された状態と連結されていない状態とを切り替える切替手段を有することを特徴とする請求項８に記載の装置本体用キャップ。
【発明の詳細な説明】
【技術分野】
【０００１】
本発明は、液体吐出装置と、液体吐出装置に収容する液体吐出カートリッジ及び液体吐出装置本体に対して着脱可能な装置本体用キャップに関する。
【背景技術】
【０００２】
マウスピースを介して吸入される空気が流れる気流路中に、インクジェット方式の吐出原理を利用して薬液を吐出させることにより、微小液滴を吐出させて利用者に吸入させる液体吐出装置が開発されている。このような液体吐出装置の一例として、液体吐出カートリッジが交換可能な構造をとっているものがある。液体吐出カートリッジの基本的な構成としては、液体吐出カートリッジ本体と、液体吐出カートリッジの液体吐出部を保護するための吐出部用キャップがある（特許文献１参照）。
【特許文献１】特開２００７−２９６３８４号公報
【発明の開示】
【発明が解決しようとする課題】
【０００３】
このような吐出部用キャップは、液体吐出カートリッジを液体吐出装置本体に収容する際に取り外すことになるが、取り外しの手間など利便性に課題があった。
【０００４】
そこで本発明は、このような現状に鑑みて成されたものであり、液体吐出カートリッジの吐出部用キャップが容易に取り外し可能となる手段を提供することを目的とするものである。
【課題を解決するための手段】
【０００５】
本出願に係る第１の発明は、液体を吐出するための液体吐出部を有する液体吐出カートリッジ本体を内部に収容する装置本体と、前記装置本体に対して着脱可能な装置本体用キャップと、を有する液体吐出装置であって、前記装置本体用キャップと、前記液体吐出部の吐出口を保護するように前記液体吐出カートリッジ本体に取り付けられた吐出部用キャップとが連結可能な連結手段を有し、前記連結手段により、前記装置本体用キャップを前記装置本体から取り外す際に、前記吐出部用キャップが前記液体吐出部から取り外されることを特徴とする。
【０００６】
本出願に係る第２の発明は、液体を吐出するための液体吐出部と前記液体吐出部の吐出口を保護するように設けられた吐出部用キャップとを有する液体吐出カートリッジであって、前記吐出部用キャップは、前記液体吐出カートリッジを内部に収容する液体吐出装置の装置本体に設けられた装置本体用キャップと連結可能な連結手段を有し、前記連結手段により、前記装置本体用キャップを前記装置本体から取り外す際に、前記吐出部用キャップが前記液体吐出部から取り外されることを特徴とする。
【０００７】
本出願に係る第３の発明は、液体を吐出するための液体吐出部を有する液体吐出カートリッジ本体を内部に収容する液体吐出装置の装置本体に対して着脱可能な装置本体用キャップであって、前記装置本体用キャップは、前記液体吐出部の吐出口を保護するように前記液体吐出カートリッジ本体に設けられた吐出部用キャップと連結可能な連結手段を有し、前記連結手段により、前記装置本体用キャップを前記装置本体から取り外す際に、前記吐出部用キャップが前記液体吐出部から取り外されることを特徴とする。
【発明の効果】
【０００８】
本発明によれば、液体吐出カートリッジの吐出部用キャップを容易に取り外し可能であることから利用者の利便性能の向上を実現することが可能である。
【発明を実施するための最良の形態】
【０００９】
以下、図面を参照しつつ本発明をより詳細に説明する。なお、同一の構成要素には原則として同一の参照番号を付して、説明を省略する。
【００１０】
図１は、本発明の適用できる液体吐出装置の構成を表す模式図である。本実施の形態においては、液体として薬剤を液体吐出カートリッジに収容し、マウスピースによって薬剤を吸引する薬剤吸引用の液体吐出装置について説明する。液体吐出カートリッジは、液体を吐出する液体吐出部としての吐出ヘッド３を有する液体吐出カートリッジ本体４と、吐出ヘッド３を覆う吐出ヘッド用キャップ（吐出部用キャップ）２とを有している。吐出ヘッド用キャップ２の目的は吐出ヘッド３の吐出口にゴミがついたり、触って表面が傷ついたりしないように保護すること、或いは吐出口内部の液体の粘度が変化したり乾燥したりしないように保湿することである。本発明の適用できる液体吐出装置は、液体吐出カートリッジと、液体吐出カートリッジを収容する装置本体６と装置本体を覆う装置本体用キャップ１とからなる。
【００１１】
本発明において装置本体用キャップ１の定義としては、装置本体に着脱可能で、装置の使用時には取り外され、未使用時には取り付けられるものである。液体吐出カートリッジが収容されていない時に装置本体６の内部にゴミが入り込まないように装置本体６の内部を外気から遮断するように覆っていることが好ましい。また、装置本体にマウスピースが設けられている場合は、マウスピースも保護するように覆っていることが好ましい。
【００１２】
利用者が液体吐出装置を使用する際は、装置本体用キャップ１を外して、液体吐出カートリッジを装置本体６に取り付ける（図１（ａ））。その後利用者は装置本体用キャップ１を装置本体６に取り付けて、装置本体用キャップ１と吐出ヘッド用キャップ２を一体化させる（図２（ｂ））。利用者が装置本体用キャップ１を装置本体６から取り外すと、吐出ヘッド用キャップ２が装置本体用キャップ１と一体化されて取り外される（図１（ｃ））。そして、利用者はマウスピース５を咥えて薬剤を吸引する。
【００１３】
マウスピース５は用途に応じてノーズピース（不図示）に交換することが可能で利用者は鼻に差し込んで薬剤を鼻から吸引することも可能である。
【００１４】
本実施形態では液体として薬剤を用いているが、本発明の液体とは薬剤に限られず、香料や、色素等の液体でもよい。
【００１５】
液体の吐出手段は加圧気体や液体を吐出するためのエネルギー発生素子がある。吐出エネルギー発生素子は任意であるが、液体に熱エネルギーを付与する電気熱変換素子又は機械エネルギーを付与する電気機械変換素子を例示できる。すなわち、液体の吐出方法としては、電気熱変換素子を用いて液体に熱エネルギーを付与して吐出口から液体を吐出させて液滴を形成する方法（サーマルジェット方式）、液体に機械エネルギーを付与する電気機械変換素子（例えば圧電素子）の振動圧を用いて液体を吐出して吐出口から液滴を形成する方法（ピエゾジェット方式）、液体中に超音波によって、微細な気泡を発生させ、この微細な気泡が液表面で崩壊する際、その反跳力を利用して、微細な液滴を放出させる方法（超音波式ミスト方式）を例示できる。液滴の形成方法については、液体の種類などに応じて選択可能である。
【００１６】
サーマルジェット方式を用いた場合、個々の吐出ヘッドについて、吐出口の口径、吐出に利用される熱パルスの熱量、電気熱変換素子としてのマイクロ・ヒーターなどのサイズ精度、再現性を高くすることが可能である。このため、狭い液滴径分布を達成することが可能である。また、ヘッドの製作コストが低く、ヘッドを頻繁に交換する必要がある小型の装置への適用性も高い。従って、携帯性や利便性が求められる液体吐出装置などに適用する場合には、特に、サーマルジェット式の吐出原理を採用することが好ましい。
【００１７】
〔実施形態１〕
＜装置本体用キャップと吐出ヘッド用キャップの一体化＞
装置本体用キャップ１と吐出ヘッド用キャップ２が一体化する手段を図２、図３、図４に示す。図２は一体化する手段の第一例を示す断面図である。図２（ａ）は一体化する前の状態、図２（ｂ）は一体化した後の状態を示す。吐出ヘッド用キャップ２には固定フック部９が具備されており、装置本体用キャップ１には吐出ヘッド用キャップと連結可能な連結手段である可動フック部７が具備されている。可動フック部７には、装置本体用キャップと吐出ヘッド用キャップとが連結された状態と連結されていない状態とを切り替える切替手段としての一体化操作手段８を具備している。一体化操作手段８を押し下げることにより可動フック７は外側に広がり前記固定フック部９と連結する。
【００１８】
装置本体用キャップ１と吐出ヘッド用キャップ２が一体化する前は一体化操作手段８が外に飛び出ていて、一体化した後は装置本体用キャップ１と同一平面か少し窪んだ状態にあることが望ましい。その目的は一体化した後に利用者が誤って一体化操作手段８を押してしまう人為的ミスを防止することにある。一体化操作手段８はノック式のボールペンのようにばね（不図示）が内蔵され、一度押すと可動フック部７が開き、もう一度押すと可動フック部７が閉じる構造をしていることが望ましい。その目的は液体吐出カートリッジ４を取り出すときに再び吐出ヘッド用キャップ２を液体吐出カートリッジ４に取り付けることにある。固定フック部９を覆うような形で可動フック部ガイド７ａが装置本体用キャップ１に具備されているとより安定化する。
【００１９】
図３は可動フック部の動きが逆になり外側から内側に窄まる動作をして固定フック部と一体化する手段の第二例を示す断面図である。図３（ａ）は一体化する前の状態、図３（ｂ）は一体化した後の状態を示す。
【００２０】
図４は磁石を利用した装置本体用キャップ１と吐出ヘッド用キャップ２が一体化する手段の第三例を示す断面図である。図４（ａ）は一体化する前の状態、図４（ｂ）は一体化した後の状態を示す。吐出ヘッド用キャップ２には磁石吸着部材１１が具備されている。装置本体用キャップ１には吐出ヘッド用キャップ２との連結手段である磁石１０と、切替手段である一体化操作手段８が具備されていて、利用者は一体化操作手段８を押し下げて磁石１０と磁石吸着部材１１が接触するようにする。
【００２１】
〔実施形態２〕
＜吐出ヘッド用キャップの液体吐出カートリッジ本体への固定化＞
利用者が誤って吐出ヘッド用キャップ２を液体吐出カートリッジ本体４から外さないように、吐出ヘッド用キャップ２には液体吐出カートリッジ本体４に固定するための吐出ヘッド用キャップ固定手段が設けられていることが好ましい。
【００２２】
図５はフックを利用した吐出ヘッド用キャップ固定手段の第一例を表す斜視図である。図５（ａ）は吐出ヘッド用キャップ２が固定されていない状態を示す図であり、図５（ｂ）は吐出ヘッド用キャップ２が固定された状態を示す図である。
【００２３】
図６は図５のＡ−Ａ’断面図である。図６（ａ）は図５（ａ）の断面を示し、図６（ｂ）は図５（ｂ）の断面を示す図である。吐出ヘッド用キャップ２は吐出ヘッド用キャップ固定手段である固定化フック１２を持ち、固定化フック用スリット１３を通して開口部１４で固定化フック１２が開いて吐出ヘッド用キャップ２が液体吐出カートリッジ本体４に固定される。利用者が誤って吐出ヘッド用キャップ２を液体吐出カートリッジ本体４から外さないようにこの固定化フック１２は複数個（図５は２個）持つことが望ましい。
【００２４】
図７はフックを利用した吐出ヘッド用キャップの固定を解除する手段を表す断面図である。図７（ａ）は吐出ヘッド用キャップが液体吐出カートリッジ本体４に固定された状態を示す図であり、図７（ｂ）は吐出ヘッド用キャップの固定が解除された状態を示す図である。
【００２５】
液体吐出カートリッジ本体と吐出ヘッド用キャップの固定を解除する吐出ヘッド用キャップ解除手段であるフック解除手段１５を液体吐出カートリッジ本体４に向けて押し込むことにより、固定化フック１２は固定化フック用スリット１３内に縮められた状態となり、吐出ヘッド用キャップの固定は解除される。
【００２６】
図８は磁石を利用した吐出ヘッド用キャップ固定手段の第二例と、その解除手段を表す断面図である。図８（ａ）は吐出ヘッド用キャップが固定された状態を示す図であり、図８（ｂ）は吐出ヘッド用キャップの固定が解除された状態を示す図である。液体吐出カートリッジ本体４には複数の磁石１７が内包され、同じ極が外側になるように配置されている。図８ａに示すように磁石吸着部材を含む吐出ヘッド用キャップ１６はこの磁石１７に吸着されて吐出ヘッド３の表面を保護する。図８（ｂ）に示すごとく吐出ヘッド用キャップ１６の固定を解除する際は磁石１７の外側の極と同極を内側に持つ吐出ヘッド用キャップ解除手段としての吐出ヘッド用キャップ解除用磁石１８を磁石１７に近づける。同極を近づけることにより磁石の磁力線が弱まり、磁石吸着部材を含む吐出ヘッド用キャップ１６の吸着力が弱まり、吐出ヘッド用キャップの取り外しが容易となる。
【００２７】
図９は内向きフックを利用した吐出ヘッド用キャップ固定手段の第三例とその解除手段を表す断面図である。図９（ａ）は吐出ヘッド用キャップが固定化された状態を示す図であり、図９（ｂ）は吐出ヘッド用キャップの固定が解除された状態を示す図である。可動部を持たない吐出ヘッド用キャップ解除手段１９ａが装置本体６に具備されていて、利用者が液体吐出カートリッジを装置本体６に取り付けることにより固定化フック１２を押し広げて吐出ヘッド用キャップの固定が解除される。この状態で利用者が装置本体用キャップ１を装置本体６に取り付けて、一体化装置手段（装置本体用キャップと吐出ヘッド用キャップとが連結された状態と連結されていない状態とを切り替える切替手段）を動作させることにより吐出ヘッド用キャップ２が装置本体用キャップ１と一体化されて取り外すことが可能となる。
【００２８】
〔実施形態３〕
＜装置本体用キャップと吐出ヘッド用キャップの一体化動作＞
図１０は液体吐出装置側に設けられ、液体吐出カートリッジ本体と吐出ヘッド用キャップの固定を解除する吐出ヘッド用キャップ解除手段１９ｂと一連の動作を表す断面図である。図１０（ａ）は液体吐出用カートリッジが装置本体６の外にあって吐出ヘッド用キャップ解除手段１９ｂが作動する前の状態を示す図である。図１０（ｂ）は液体吐出用カートリッジが装置本体６に取り付けられて吐出ヘッド用キャップ解除手段１９ｂが作動して吐出ヘッド用キャップの固定が解除された状態を示す図である。図１０（ｃ）は装置本体用キャップが装置本体に取り付けられた状態を示す図である。図１０（ｄ）は装置本体用キャップ１と吐出ヘッド用キャップ２が一体化された状態を示す図である。図１０（ｅ）は一体化された装置本体用キャップと吐出ヘッド用キャップが装置本体から取り外された状態を示す図である。
【００２９】
図１０（ａ）に示すように吐出ヘッド用キャップ解除手段１９ｂは、作動させる前は装置本体６から飛び出た状態となっている。利用者に液体吐出の準備ができていないことを喚起するのが目的である。図１０（ｂ）のごとく液体吐出カートリッジを取り付けた後に吐出ヘッド用キャップ解除手段１９ｂを押し込んで吐出ヘッド用キャップ２の固定を解除する。
【００３０】
「吐出ヘッド用キャップ２の解除のタイミング」と「装置本体用キャップ１と吐出ヘッド用キャップ２の一体化のタイミング」とは、前者の次に後者が実行されることが好ましい。その理由は、後者の次に前者とすると、前者の動作を忘れて装置本体用キャップを取り外そうとすると吐出ヘッド用キャップ２に負荷を与えてしまうためである。装置本体６が電気制御されている場合はセンサーを設けてこの種の動作忘れを回避することが可能である。さらに一連の動作を順番に実行して装置本体用キャップを外して問題のない状態になったら音と光で利用者に表示させることも可能となる。また吐出ヘッド用キャップ２が吐出ヘッド３から離れたことをセンサーにより検知して液体吐出許可のプログラムを作ることも可能である。
【００３１】
使用後に液体吐出カートリッジを装置本体６から取り出すときは、図１０の（ｅ）→（ｄ）→（ｃ）→（ｂ）→（ａ）の手順で行うとよい。利用者は吐出ヘッド用キャップ２を使用開始から使用終了まで意識することなく正しく簡便な使用が可能となる。
【００３２】
〔実施形態４〕
＜液体吐出カートリッジ本体の装置本体への固定化＞
図１１は装置本体に設けられた液体吐出カートリッジ固定手段２０を表す断面図である。図１１（ａ）は液体吐出カートリッジ固定手段２０が作動する前の状態を示す図であり、図１１（ｂ）は液体吐出カートリッジ固定手段２０が作動して液体吐出カートリッジ本体を装置本体に固定した状態を示す図である。液体吐出カートリッジ固定手段の目的は、吐出ヘッド用キャップ２が一体化した装置本体用キャップ１を装置本体６から取り出すときに液体吐出カートリッジ本体４が本来の位置から移動することを防止することである。図１１（ｂ）に示すごとく装置本体用キャップ１を装置本体６に取り付ける前に液体吐出カートリッジ固定手段２０を作動させる。液体吐出カートリッジ４を確実に固定できるように、液体吐出カートリッジ固定手段２０の先端が当たるところに凹みを設けておくことが望ましい。液体吐出カートリッジ固定手段２０の動作も装置本体６が電気制御されている場合は先と同様に自動化することが可能である。
【００３３】
使用後に液体吐出カートリッジを装置本体６から取り出すときは、液体吐出カートリッジ固定手段２０を解除する。
【００３４】
図１２は本発明の装置本体用キャップ２と液体吐出カートリッジが一体化した後に液体吐出カートリッジが装置本体に取り付けられる状態を示す模式図である。利用者が高齢者や子供の場合、液体吐出カートリッジを手に取って装置本体６に取り付けるよりも、本形態の方が容易であり途中で液体吐出カートリッジを落とす心配もなくなる。
【００３５】
図１２（ａ）は、カートリッジマガジン２１にセットされた液体吐出カートリッジと装置本体用キャップが一体化する前の状態を示す図である。図１２（ｂ）は装置本体用キャップ１と液体吐出カートリッジが一体化した状態を示す図である。図１２（ｃ）は装置本体用キャップと液体吐出カートリッジが一体化してカートリッジマガジン２１から取り外された状態を示す図である。図１２（ｄ）は一体化した装置本体用キャップと液体吐出カートリッジが装置本体に取り付けられる状態を示す図である。図１２（ｅ）は吐出ヘッド用キャップ２の固定が解除された後に、吐出ヘッド用キャップ２と一体化した装置本体用キャップ１が装置本体から取り外された状態を示す図である。
【００３６】
前述したように、吐出ヘッド用キャップ解除手段１９ｂを作動させる前に、吐出ヘッド用キャップ２が一体化した装置本体用キャップ１を、装置本体６から取り外さないよう注意が必要である。
【００３７】
〔実施形態５〕
＜吐出ヘッド用キャップの固定解除と装置本体用キャップの取り外しのタイミング制御１＞
実施形態３と実施形態４では「吐出ヘッド用キャップ２の液体吐出カートリッジ本体への固定を解除するタイミング」と「装置本体用キャップ１と吐出ヘッド用キャップ２の一体化のタイミング」を別々に動作させていたため、後者の次に前者とすると、前者の動作を忘れて装置本体用キャップを取り外そうとすると、吐出ヘッド用キャップ２に負荷を与えてしまう可能性があった。本実施形態５では、このタイミングを同時に実施して上記のような事態が起きるのを回避することができる。
【００３８】
図１３は吐出ヘッド用キャップ解除手段と、装置本体用キャップと吐出ヘッド用キャップの一体化と、が同時に可能となる構造及びその一連の動作を示す模式図である。図１３（ａ）は装置本体用キャップと液体吐出カートリッジが一体化する前の状態を示す模式図である。図１３（ｂ）は液体吐出カートリッジが装置本体に取り付けられた状態を示す模式図である。図１３（ｃ）は装置本体用キャップが装置本体に取り付けられた状態を示す模式図である。図１３（ｄ）は吐出ヘッド用キャップ解除手段２３と、一体化操作手段８が同時に作動した状態を示す模式図である。図１３（ｅ）は一体化した装置本体用キャップと吐出ヘッド用キャップが装置本体から取り外された状態を示す模式図である。
【００３９】
本実施態様では、一体化手段８に可動フック部７と吐出ヘッド用キャップ解除伝達手段２２が連結されている。一体化手段８を利用者が押し下げると吐出ヘッド用キャップ解除伝達手段２２も押し下げられ、この下向きの動作をフォース変換式吐出ヘッド用キャップ解除手段２３により横向きの動作に変換されて吐出ヘッド用キャップの固定を解除する。このフォース変換式吐出ヘッド用キャップ解除手段２３の例を図１４にて説明する。
【００４０】
図１４は力の向きを変えて吐出ヘッド用キャップの固定を解除する手段の模式図である。図１４（ａ）は屈曲性ある材料を用いた場合の模式図である。図１４（ｂ）はパンタグラフ方式で力の向きを変える模式図である。図１４（ｃ）は弓方式の模式図である．図１４（ｄ）はラック＆ピニオンギア方式の模式図である。図１４（ｅ）は電気式でスイッチが入ったらモーターでラックを動かす方式の模式図である。
【００４１】
図１４（ａ）で用いられる屈曲部材２４の例としてはピアノ線のように本来直線であって曲げても元の直線に戻るような部材が好ましい。支持部材２５により屈曲部材２４の動きを規制する。吐出ヘッド用キャップ解除伝達手段２２の紙面上の下向きの力がなくなったときに屈曲部材２４が元の位置に戻るようばねのような位置復元部材２６を具備しておく方が好ましい。
【００４２】
図１４（ｂ）はパンタグラフ状の４本の材料を各頂点で連結した構造として紙面上で横方向にのみ広がるように動きを規制する部材２５を上下に配置する。図１４（ａ）の場合と同様に位置復元部材２６を具備しておく方が好ましい。
【００４３】
図１４（ｃ）は屈曲部材を曲げた状態で糸等で固定した弓状部材３０を使用している。この場合は弓状部材３０自体に位置復元性を持つため、位置復元部材２６は不用となる。
【００４４】
図１４（ｄ）は縦方向ラック３１をピニオンギア３３を介して横方向ラック３２と連結している。動作時にラックが逃げないよう支持部材２５でそれぞれのラックを保持する。こちらも図１４（ａ）（ｂ）と同様に位置復元部材２６を具備しておく方が好ましい。
【００４５】
図１４（ｅ）は装置本体６が電気手段を持つ場合に有効な方式である。前述した吐出ヘッド用キャップ解除伝達手段２２が押し下げられるとスイッチ３４をＯＮしてモーター（不図示）がピニオンギア３３を回転させ横方向ラック３４を作動させる。「所定時間の作動の後」あるいは「所定の位置までラックが移動した後」にモーターの回転を止めるプログラムを組むことが好ましい。
【００４６】
〔実施形態６〕
＜吐出ヘッド用キャップの固定解除と装置本体用キャップの取り外しのタイミング制御２＞
本実施形態は、実施形態５と同様に「吐出ヘッド用キャップの液体吐出カートリッジ本体への固定を解除するタイミング」と「装置本体用キャップと吐出ヘッド用キャップの一体化のタイミング」を同時に実施可能な例を示す。
【００４７】
図１５は本実施形態を示す模式図である。液体吐出カートリッジ本体４の内部には、吐出ヘッド用キャップ固定手段として二つの固定棒３６ａ、３６ｂと前記固定棒を移動して固定を解除する吐出ヘッド用キャップ解除手段として固定棒駆動モーター３５が存在する。装置本体６は、液体吐出カートリッジ本体４を取り付けるためのカートリッジ取り付け部３８と、固定制御部４０を有する。固定制御部４０は、固定棒３６ａ、３６ｂを移動して吐出ヘッド用キャップ２の固定を解除するための信号を固定棒駆動モーター３５に送る。
【００４８】
このように、吐出ヘッド用キャップ固定手段と固定制御部を、それぞれ液体吐出カートリッジ本体内部と装置本体に分けて具備することで、前記ヘッド用キャップ２が人の手などで所望の時以外に間違って開けられてしまう可能性は著しく低くなる。これによって、吐出ヘッド３の表面を清潔のまま保つことができるようになり、利便性の観点だけでなく利用者が薬剤を吸入する際に衛生的な観点からも好ましい。
【００４９】
利用者が本発明の液体吐出装置を使用する際は、装置本体用キャップ１を外して、液体吐出カートリッジを装置本体６に取り付ける（図１５（ａ））。
【００５０】
その後、利用者は装置本体用キャップ１を装置本体６に取り付けて、装置本体用キャップ１と吐出ヘッド用キャップ２を一体化させる。吐出ヘッド用キャップ２には固定フック部９が具備されていて、装置本体用キャップ１の一体化操作手段８を押し下げることにより可動フック部７を外側に広げて前記固定フック部９と一体化する（図１５（ｂ））。
【００５１】
利用者が液体を吐出させる前の段階で、固定制御部１４からの信号が端子本体側３９、端子カートリッジ側３７を通じて固定棒駆動モーター３５に送られる。この信号をもとに、固定駆動モーター４０は、固定棒３６ａ、３６ｂをモーター側に移動させることで、吐出ヘッド用キャップの固定を解除することになる（図１５（ｃ））。
【００５２】
利用者が装置本体用キャップ１を装置本体６から取り外すと、吐出ヘッド用キャップ２が装置本体用キャップ１と一体化されて取り外される（図１５（ｄ））。本実施形態では、連結手段として可動フック部を用いているが、磁性体を使い、磁石の力でキャップを開ける方法を用いることも可能である。
【００５３】
〔実施形態７〕
＜吐出ヘッド用キャップの固定解除と装置本体用キャップの取り外しのタイミング制御３＞
前記実施形態６では、吐出ヘッド用キャップ解除手段を液体吐出カートリッジに、固定制御部を装置本体に具備していたが、図１６に示すようにそれらを反対にしても同様の効果が得られる。
【００５４】
液体吐出カートリッジ本体４は、吐出ヘッド用キャップ固定手段としての固定棒３６ａ、３６ｂと固定制御部１４を有する。前記固定棒は磁性体で構成されており、液体吐出カートリッジ本体にバネ４１ａ、４１ｂで固定されている。一方、装置本体は、磁性体で構成されている固定棒の固定を解除する吐出ヘッド用キャップ解除手段としての電磁石４２ａ、４２ｂを具備している。
【００５５】
利用者が本発明の液体吐出装置を使用する際は、装置本体用キャップ１を外して、液体吐出カートリッジを装置本体６に取り付ける（図１６（ａ））。
【００５６】
その後、利用者は装置本体用キャップ１を装置本体６に取り付けて、装置本体用キャップ１と吐出ヘッド用キャップ２を一体化させる。吐出ヘッド用キャップ２には固定フック部９が具備されていて、装置本体用キャップ１の一体化操作手段８を押し下げることにより可動フック部７を外側に広げて前記固定フック部９と一体化する（図１６（ｂ））
利用者が液体を吐出させる前の段階で、固定制御部４３からの信号が端子カートリッジ側３７、端子本体側３９を通じて電磁石４２ａ、４２ｂに送られる。この信号をもとに、電磁石４２ａ、４２ｂは、固定棒３６ａ、３６ｂを装置本体側に移動させることで、吐出ヘッド用キャップの固定を解除することになる（図１６（ｃ））。
【００５７】
利用者が装置本体用キャップ１を装置本体６から取り外すと、吐出ヘッド用キャップ２が装置本体用キャップ１と一体化されて取り外される（図１６（ｄ））。
【００５８】
本実施例では、吐出ヘッド用キャップ解除手段として電磁石を用いたが、固定棒として非絶縁体材料を、吐出ヘッド用キャップ解除手段として絶縁体材料を用いて、前記絶縁体に電圧をかけることで静電気力を使って固定棒を非接触式に移動させることも可能である。ただし、発生する力の大きさの観点より、電磁石を用いることが好ましい。
【００５９】
〔実施形態８〕
＜吐出ヘッド用キャップの固定解除と装置本体用キャップの取り外しのタイミング制御４＞
前記第６、第７の実施形態では、液体吐出カートリッジに吐出ヘッド用キャップ解除手段３５または固定制御部４３を具備していた。しかし、図１７に示すように、吐出ヘッド用キャップ解除手段および固定制御部を装置本体内に具備し、液体吐出カートリッジ本体に吐出ヘッド用キャップ固定手段を具備することでも、これまでと同様に衛生面で効果が得られる。
【００６０】
利用者が本発明の液体吐出装置を使用する際は、装置本体用キャップ１を外して、液体吐出カートリッジを装置本体６に取り付ける（図１７（ａ））。
【００６１】
その後利用者は装置本体キャップ１を装置本体６に取り付けて、装置本体用キャップ１と吐出ヘッド用キャップ２を一体化させる。吐出ヘッド用キャップ２には固定フック部９が具備されていて、装置本体用キャップ１の一体化操作手段８を押し下げることにより可動フック部７を外側に広げて前記固定フック部９と一体化する（図１７（ｂ））
利用者が液体を吐出させる前の段階で、固定制御部４０からの信号が電磁石４２ａ、４２ｂに送られる。この信号をもとに、４２ａ、４２ｂは、固定棒３６ａ、３６ｂを装置本体側に移動させることで、吐出ヘッド用キャップの固定を解除することになる（図１７（ｃ））。
【００６２】
利用者が装置本体用キャップ１を装置本体６から取り外すと、吐出ヘッド用キャップ２が装置本体用キャップ１と一体化されて取り外される（図１７（ｄ））。液体吐出カートリッジは液体の残量によって交換することになるので、吐出ヘッド用キャップ解除手段および固定制御部は装置本体に具備されることが、コスト面で好ましい。
【図面の簡単な説明】
【００６３】
【図１】本発明の液体吐出装置の概念的な構成を表す模式図である。
【図２】フックを利用した装置本体用キャップ１と吐出ヘッド用キャップ２が一体化する手段を表す断面図である。
【図３】フックを利用した装置本体用キャップ１と吐出ヘッド用キャップ２が一体化する手段の別の形態を表す断面図である。
【図４】磁石を利用した装置本体用キャップ１と吐出ヘッド用キャップ２が一体化する手段を表す断面図である。
【図５】フックを利用した吐出ヘッド用キャップ固定手段を表す斜視図である。
【図６】図５の吐出ヘッド用キャップ固定手段の断面図である。
【図７】フックを利用した吐出ヘッド用キャップ解除手段を表す断面図である。
【図８】磁石を利用した吐出ヘッド用キャップ固定手段と解除手段を表す断面図である。
【図９】内向きフックを利用した吐出ヘッド用キャップ固定手段と解除手段を表す断面図である。
【図１０】装置本体側に設けられた吐出ヘッド用キャップ解除手段と一連の動作を表す断面図である。
【図１１】装置本体側に設けられた薬液吐出カートリッジ固定手段を表す断面図である。
【図１２】装置本体用キャップと液体吐出カートリッジが一体化した後に液体吐出カートリッジが装置本体にセットされる状態を示す模式図である。
【図１３】吐出ヘッド用キャップの固定解除と、装置本体用キャップと吐出ヘッド用キャップとの一体化が同時に可能となる構造と一連の動作を示す例１の模式図である。
【図１４】力の向きを変えて吐出ヘッド用キャップの固定を解除する手段の模式図である。
【図１５】吐出ヘッド用キャップの固定解除と、装置本体用キャップと吐出ヘッド用キャップとの一体化が同時に可能となる構造と一連の動作を示す例２の模式図である。
【図１６】吐出ヘッド用キャップの固定解除と、装置本体用キャップと吐出ヘッド用キャップとの一体化が同時に可能となる構造と一連の動作を示す例３の模式図である。
【図１７】吐出ヘッド用キャップの固定解除と、装置本体用キャップと吐出ヘッド用キャップとの一体化が同時に可能となる構造と一連の動作を示す例４の模式図である。
【符号の説明】
【００６４】
１  装置本体用キャップ
２  吐出ヘッド用キャップ
３  吐出ヘッド
４  液体吐出カートリッジ本体
５  マウスピース
６  装置本体
７  可動フック部
７ａ  可動フック部ガイド
８  一体化操作手段
９  固定フック部
１０  磁石
１１  磁石吸着部材
１２  固定化フック
１３  固定化フック用スリット
１４  開口部
１５  フック解除手段
１６  磁石吸着部材を含む吐出ヘッド用キャップ
１７  吐出ヘッド用キャップ固定用磁石
１８  吐出ヘッド用キャップ解除用磁石
１９ａ  可動部を持たない吐出ヘッド用キャップ解除手段
１９ｂ  可動式の吐出ヘッド用キャップ解除手段
２０  液体吐出カートリッジ固定手段
【図１】
2010110509.tif 000003
【図２】
2010110509.tif 000004
【図３】
2010110509.tif 000005
【図４】
2010110509.tif 000006
【図５】
2010110509.tif 000007
【図６】
2010110509.tif 000008
【図７】
2010110509.tif 000009
【図８】
2010110509.tif 000010
【図９】
2010110509.tif 000011
【図１０】
2010110509.tif 000012
【図１１】
2010110509.tif 000013
【図１２】
2010110509.tif 000014
【図１３】
2010110509.tif 000015
【図１４】
2010110509.tif 000016
【図１５】
2010110509.tif 000017
【図１６】
2010110509.tif 000018
【図１７】
2010110509.tif 000019